(57)【要約】本開示の特定の態様は、フレームをどのように処理するのかを示すために、同じ局についてのフレーム中で異なるＭＡＣアドレスを使用するための技術及び装置を提供する。このように、IEEE 802.11acについてのフレームは、レガシーフレーム（例えば、IEEE 802.11a/nにしたがうフレーム）に存在しない情報を搬送できるが、これらのフレームは、レガシー方式のレガシー機器によって解釈されうる。１つの例示的な方法は、一般的に、第１のＭＡＣアドレスの印を含む第１フレームを受信することと、第１のＭＡＣアドレスに基づいて受信第１フレームを処理することと、を含む。特定の態様について、方法は、第２のＭＡＣアドレスの印を含む第２フレームを受信することと、ここで、第２のＭＡＣアドレスは、第１のＭＡＣアドレスと異なる、第２フレームの処理が第１フレームの処理と異なるように、受信第２フレームを処理することと、をさらに含む。
2013541910.tif 000002
【特許請求の範囲】
【請求項１】
第１の媒体アクセス制御（MAC）アドレスの印を含む第１フレームを受信するように構成された受信機と、
前記第１のＭＡＣアドレスに基づいて前記受信第１フレームを解析するように構成された処理システムと、
を備える、無線通信装置。
【請求項２】
前記処理システムは、前記第１のＭＡＣアドレスに基づいて、レガシーフレームとして、または、超高スループット（VHT） フレームとして、前記第１フレームを解釈することで、前記受信第１フレームを解析するように構成されている、請求項１記載の装置。
【請求項３】
前記処理システムは、前記第１フレームから、米国電気電子学会（IEEE）802.11規格に対するIEEE 802.11ac修正または後の修正によってサポートされる情報を抽出することにより、前記受信第１フレームを解析するように構成されている、請求項１記載の装置。
【請求項４】
前記処理システムは、前記第１フレームから、前記第１フレームが送信された１以上のチャネルについての情報を抽出することにより、前記受信第１フレームを解析するように構成されている、請求項１記載の装置。
【請求項５】
前記情報は、前記第１フレームのデュレーションフィールドの２以上の最下位ビット（LSBs）によって示される、請求項４記載の装置。
【請求項６】
前記受信機は、第２のＭＡＣアドレスの印を含む第２フレームを受信するように構成され、ここで、前記第２のＭＡＣアドレスは前記第１のＭＡＣアドレスと異なる、
前記処理システムは、前記第２フレームの解析が前記第１フレームの解析と異なるように、前記第２のＭＡＣアドレスに基づいて、前記受信第２フレームを解析するように構成されている、請求項１記載の装置。
【請求項７】
前記処理システムは、米国電気電子学会（IEEE）802.11規格に対する802.11a修正または802.11n修正に基づいて前記第２フレームを解析することで、前記第２のフレームを解析するように構成されている、請求項６記載の装置。
【請求項８】
前記第１のフレームは、制御フレームを含む、請求項６記載の装置。
【請求項９】
送信機をさらに含み、
前記制御フレームは送信要求（RTS）フレームを含み、前記送信機は、前記受信ＲＴＳフレームに応答して、送信可（CTS） フレームを他の装置に送信するように構成され、
前記第２のフレームは、前記ＣＴＳフレームに応答して前記他の装置によって送信されるデータフレームを含む、請求項８記載の装置。
【請求項１０】
前記第１のＭＡＣアドレスは、前記第２のＭＡＣアドレスと１つのアドレスビットのみ異なる、請求項６記載の装置。
【請求項１１】
前記１つのアドレスビットは、個別／グループ（I/G）アドレスビット、ユニバーサル／ローカル（U/L）管理アドレスビット、または、最下位アドレスビットを含む、請求項１０記載の装置。
【請求項１２】
前記受信機は、前記第１のＭＡＣアドレスの前記印を含むフレームが前記装置を対象としていることを前記装置に知らせる管理フレームを受信するように構成されている、請求項１記載の装置。
【請求項１３】
装置において、第１の媒体アクセス制御（MAC）アドレスの印を含む第１フレームを受信することと、
前記第１のＭＡＣアドレスに基づいて前記受信第１フレームを解析することと、
を備える、無線通信方法。
【請求項１４】
前記受信第１フレームを解析することは、前記第１のＭＡＣアドレスに基づいて、レガシーフレームとして、または、超高スループット（VHT） フレームとして、前記第１フレームを解釈することを含む、請求項１３記載の方法。
【請求項１５】
前記受信第１フレームを解析することは、前記第１フレームから、米国電気電子学会（IEEE）802.11規格に対するIEEE 802.11ac修正または後の修正によってサポートされる情報を抽出することを含む、請求項１３記載の方法。
【請求項１６】
前記受信第１フレームを解析することは、前記第１フレームから、前記第１フレームが送信された１以上のチャネルについての情報を抽出することを含む、請求項１３記載の方法。
【請求項１７】
前記情報は、前記第１フレームのデュレーションフィールドの２以上の最下位ビット（LSBs）によって示される、請求項１６記載の方法。
【請求項１８】
第２のＭＡＣアドレスの印を含む第２フレームを受信することと、ここで、前記第２のＭＡＣアドレスは前記第１のＭＡＣアドレスと異なる、
前記第２フレームの解析が前記第１フレームの解析と異なるように、前記第２のＭＡＣアドレスに基づいて、前記受信第２フレームを解析することと、
をさらに含む、請求項１３記載の方法。
【請求項１９】
前記第２のフレームを解析することは、米国電気電子学会（IEEE）802.11規格に対する802.11a修正または802.11n修正に基づいて前記第２フレームを解析することを含む、請求項１８記載の方法。
【請求項２０】
前記第１のフレームは、制御フレームを含む、請求項１８記載の方法。
【請求項２１】
前記受信制御フレームに応答して、送信可（CTS） フレームを他の装置に送信することをさらに含み、ここで、前記制御フレームは、送信要求（RTS）フレームを含み、前記第２フレームは、前記ＣＴＳフレームに応答して前記他の装置によって送信されるデータフレームを含む、請求項２０記載の方法。
【請求項２２】
前記第１のＭＡＣアドレスは、前記第２のＭＡＣアドレスと１つのアドレスビットのみ異なる、請求項１８記載の方法。
【請求項２３】
前記１つのアドレスビットは、個別／グループ（I/G）アドレスビット、ユニバーサル／ローカル（U/L）管理アドレスビット、または、最下位アドレスビットを含む、請求項２２記載の方法。
【請求項２４】
前記第１のＭＡＣアドレスの前記印を含むフレームが前記装置を対象としていることを前記装置に知らせる管理フレームを受信することをさらに含む、請求項１３記載の方法。
【請求項２５】
第１の媒体アクセス制御（MAC）アドレスの印を含む第１フレームを受信するための手段と、
前記第１のＭＡＣアドレスに基づいて前記受信第１フレームを解析するための手段と、
を備える、無線通信装置。
【請求項２６】
前記受信第１フレームを解析するための手段は、前記第１のＭＡＣアドレスに基づいて、レガシーフレームとして、または、超高スループット（VHT） フレームとして、前記第１フレームを解釈するように構成されている、請求項２５記載の装置。
【請求項２７】
前記解析するための手段は、前記第１フレームから、米国電気電子学会（IEEE）802.11規格に対するIEEE 802.11ac修正または後の修正によってサポートされる情報を抽出することにより、前記受信第１フレームを解析するように構成されている、請求項２５記載の装置。
【請求項２８】
前記解析するための手段は、前記第１フレームから、前記第１フレームが送信された１以上のチャネルについての情報を抽出することにより、前記受信第１フレームを解析するように構成されている、請求項２５記載の装置。
【請求項２９】
前記情報は、前記第１フレームのデュレーションフィールドの２以上の最下位ビット（LSBs）によって示される、請求項２８記載の装置。
【請求項３０】
前記受信するための手段は、第２のＭＡＣアドレスの印を含む第２フレームを受信するように構成され、ここで、前記第２のＭＡＣアドレスは前記第１のＭＡＣアドレスと異なる、
前記解析するための手段は、前記第２フレームの解析が前記第１フレームの解析と異なるように、前記第２のＭＡＣアドレスに基づいて、前記受信第２フレームを解析するように構成されている、請求項２５記載の装置。
【請求項３１】
前記解析するための手段は、米国電気電子学会（IEEE）802.11規格に対する802.11a修正または802.11n修正に基づいて前記第２フレームを解析することで、前記第２のフレームを解析するように構成されている、請求項３０記載の装置。
【請求項３２】
前記第１のフレームは、制御フレームを含む、請求項３０記載の装置。
【請求項３３】
送信するための手段をさらに含み、
前記制御フレームは送信要求（RTS）フレームを含み、前記送信するために手段は、前記受信ＲＴＳフレームに応答して、送信可（CTS） フレームを他の装置に送信するように構成され、
前記第２のフレームは、前記ＣＴＳフレームに応答して前記他の装置によって送信されるデータフレームを含む、請求項３２記載の装置。
【請求項３４】
前記第１のＭＡＣアドレスは、前記第２のＭＡＣアドレスと１つのアドレスビットのみ異なる、請求項３０記載の装置。
【請求項３５】
前記１つのアドレスビットは、個別／グループ（I/G）アドレスビット、ユニバーサル／ローカル（U/L）管理アドレスビット、または、最下位アドレスビットを含む、請求項３４記載の装置。
【請求項３６】
前記受信するための手段は、前記第１のＭＡＣアドレスの前記印を含むフレームが前記装置を対象としていることを前記装置に知らせる管理フレームを受信するように構成されている、請求項２５記載の装置。
【請求項３７】
装置において、媒体アクセス制御（MAC）アドレスの印を含むフレームを受信する、
前記ＭＡＣアドレスに基づいて前記受信フレームを解析する、
ことを実行可能な指示を含むコンピュータ可読媒体を含む無線通信のためのコンピュータプログラムプロダクト。
【請求項３８】
少なくとも１つのアンテナと、
前記少なくとも１つのアンテナを介して、媒体アクセス制御（MAC）アドレスの印を含むフレームを受信するように構成された受信機と、
前記ＭＡＣアドレスに基づいて前記受信フレームを解析するように構成された処理システムと、
を備える、無線ノード。
【発明の詳細な説明】
【技術分野】
【０００１】
本開示のある態様は、一般的に、無線通信に関連し、より具体的には、フレームをどのように処理するのかを示すために、同じ装置（例えば、ユーザ端末）についてのフレーム中で異なる媒体アクセス制御（MAC）を使用することに関連する。
【背景技術】
【０００２】
この出願は、2010月10月1日に提出した米国仮特許出願整理番号61/388,896(代理人整理番号102985P1)の優先権を主張し、その全体の引用により、この中に組み込まれている。
【０００３】
無線通信システムに関して要求されている帯域幅要求の増大の問題に対処するためにチャネルリソースを共用して、多ユーザ端末に単一のアクセス ポイントとの通信を許可する一方で、高いデータスループットを達成する異なる手法が開発されている。多入力多出力（ＭＩＭＯ）技術は、次世代の通信システムについて良く知られた技術として近年登場したこのようなアプローチの１つを表している。ＭＩＭＯ技術は、米国電気電子学会（IEEE：Institute of Electrical and Electronics Engineers）802.11規格のような幾つかの新興無線通信規格に採用されている。IEEE 802.11は、（例えば、数十メートルから数百メートルの）短距離通信のためにIEEE 802.11委員会が策定した無線ローカルエリアネットワーク（WLAN）無線インタフェース規格一式を指す。
【０００４】
ＭＩＭＯシステムは、データ通信のために、複数本（ＮＴ）の送信アンテナと複数本（ＮＲ）の受信アンテナを使用する。ＮＴ本の送信アンテナ及びＮＲ本の受信アンテナによって形成されるＭＩＭＯチャネルは、ＮＳ個の独立チャネル分解され、これらは、ＮＳ≦ｍｉｎ｛ＮＴ,ＮＲ｝空間チャネルとして呼ばれる。ＮＳ個の独立チャネルのそれぞれは、次元に対応する。ＭＩＭＯシステムは、複数本の送信アンテナと受信アンテナとによって作り出される追加の次元が利用される場合、改善された性能（例えば、より高いスループット及び／またはより大きな信頼性）を提供しうる。
【０００５】
１つのアクセスポイント（AP:Access Point）及び複数のユーザ局（STAs:multiple user stations）の無線ネットワークでは、同時伝送は、アップリンクとダウンリンクの両者で異なる局に向かう複数のチャネルで生じる。そのようなシステムで多くの試みがなされている。
【発明の概要】
【０００６】
本開示の特定の態様は、一般的に、フレームをどのように処理（例えば、解釈(interpret)及び解析(parse)）するのかを示すための、同じ装置（例えば、ユーザ端末）についてのフレーム中の異なる媒体アクセス制御（MAC）を使用することに関連する。このように、IEEE 802.11acに関するフレームは、レガシーフレーム（例えば、IEEE 802.11aまたは802.11nのような802.11acより前のIEEE 802.11規格に対する修正（amendments）に基づくフレーム）に存在しない情報を搬送できるが、これらのフレームは、レガシー方式のレガシー機器によって解釈される。
【０００７】
本開示の特定の態様は無線通信のための方法を提供する。方法は、一般的に、装置において、第１のＭＡＣアドレスの印を含む第１フレームを受信することと、第１のＭＡＣアドレスに基づいて受信第１フレームを解析することと、を含む。
【０００８】
本開示の特定の態様は無線通信のための装置を提供する。装置は、一般的に、第１のＭＡＣアドレスの印を含む第１フレームを受信するように構成された受信機と、第１のＭＡＣアドレスに基づいて受信第１フレームを解析するように構成された処理システムと、を含む。
【０００９】
本開示の特定の態様は無線通信のための装置を提供する。装置は、一般的に、第１のＭＡＣアドレスの印を含む第１フレームを受信するための手段と、第１のＭＡＣアドレスに基づいて受信第１フレームを解析するための手段と、を含む。
【００１０】
本開示の特定の態様は、無線通信のためのコンピュータプログラム製品を提供する。コンピュータプログラム製品は、一般的に、装置において、第１のＭＡＣアドレスの印を含む第１フレームを受信することと、第１のＭＡＣアドレスに基づいて受信第１フレームを解析することと、を実行可能な指示を有するコンピュータ可読媒体を含む。
【００１１】
本開示の特定の態様は、無線ノードを提供する。無線ノードは、少なくとも１つのアンテナと、少なくとも１つのアンテナを介して、第１のＭＡＣアドレスの印を含む第１フレームを受信するように構成された受信機と、第１のＭＡＣアドレスに基づいて受信第１フレームを解析するように構成された処理システムと、を含む。
【００１２】
本開示の上述の諸特徴を詳細に理解することができるように、上の簡単な要約に関する発明の詳細な説明を添付図面に幾つか例示されている諸態様を参照して提示する。
【００１３】
但し、添付図面は本開示の幾つかの通常の態様を例示しているに過ぎないのであり、しかも、発明の詳細な説明は他の同様に有効な諸態様を許可するので、範囲を限定するものとして添付図面を解釈してはならないことを断っておく。
【図面の簡単な説明】
【００１４】
【図１】図１は、本開示の幾つかの態様にしたがう無線通信ネットワークの図を示す。
【図２】図２は、本開示の幾つかの態様にしたがう例示的なアクセスポイントとユーザ端末のブロック図を示す。
【図３】図３は、本開示の幾つかの態様にしたがう例示的な無線装置のブロック図を示す。
【図４】図４は、本開示のいくつかの態様にしたがう無線通信の例示的なフレーム構造を示す。
【図５Ａ】図５Ａは、本開示のいくつかの態様にしたがう図４のフレーム構造中の媒体アクセス制御（MAC）ヘッダについての制御フレーム及び管理フレームについての例示的なフレームフォーマットを示す。
【図５Ｂ】図５Ｂは、本開示のいくつかの態様にしたがう図４のフレーム構造中の媒体アクセス制御（MAC）ヘッダについての制御フレーム及び管理フレームについての例示的なフレームフォーマットを示す。
【図５Ｃ】図５Ｃは、本開示のいくつかの態様にしたがう図４のフレーム構造中の媒体アクセス制御（MAC）ヘッダについての制御フレーム及び管理フレームについての例示的なフレームフォーマットを示す。
【図６Ａ】図６Ａは、本開示のいくつかの態様にしたがう例示的なＭＡＣアドレス構造を示す。
【図６Ｂ】図６Ｂは、本開示のいくつかの態様にしたがう最初に送信される各バイト中の最下位ビット(LSB)を備える標準的な形式でのＭＡＣアドレスを示す。
【図７】図７は、本開示のいくつかの態様にしたがう受信側エンティティの観点からのフレームのＭＡＣアドレスに基づいて受信フレームを処理する例示的な動作を示す。
【図７Ａ】図７Ａは、図７に示す動作を実行するための例示的な手段を示す。
【図８】図８は、本開示のいくつかの態様にしたがうレガシー互換性制御フレーム（legacy-compatible control frames）を使用して２つの無線機器間で交換する例示的なフレームを示す。
【図９】図９は、本開示のいくつかの態様にしたがうレガシー互換性制御フレーム（legacy-compatible control frames）を使用して２つの無線機器間で交換する例示的なフレームを示す。
【図１０】図１０は、本開示のいくつかの態様にしたがうレガシー互換性制御フレーム（legacy-compatible control frames）を使用して２つの無線機器間で交換する例示的なフレームを示す。
【図１１】図１１は、本開示のいくつかの態様にしたがうレガシー互換性制御フレーム（legacy-compatible control frames）を使用して２つの無線機器間で交換する例示的なフレームを示す。
【発明を実施するための形態】
【００１５】
以下、添付図面を参照して開示の様々な態様を詳細に説明する。但し、この開示は様々に異なる諸形式で実施することができるので、この開示全体に亘って提示されているいずれかの特定の諸構造や諸機能に限定されるものと解釈してはならない。むしろ、これらの諸態様を提示するのは、この開示を完全かつ完璧にすることや当業者に開示の範囲を完全に伝えることのためである。ここに開示する諸技術に基づいて、この開示の別の態様とは別個に実施されるようとこの開示の別の態様と組み合わせて実施されようと、この開示の範囲はここに開示されている開示の諸態様をカバーすることが意図されていることを当業者は認識する。例えば、ここに記載した任意の数の諸態様を用いて装置を実現したり方法を実施したりすることができる。さらに、開示の範囲は、別の構造または機能あるいは構造および機能をここに記載した開示の様々な態様に加えてまたはその他に用いて実施される装置や方法をカバーすることが意図されている。ここに開示した開示の任意の態様を特許請求の範囲の１以上の要素により具体化することができることを理解されたい。
【００１６】
「典型的」という単語は、「例、事例、例示として役立つこと」を意味するように本明細書において使用される。「典型的」としてここに記載した態様は、それ以外の態様よりも好ましいとか有利であるとかと解釈する必要はまったくない。特定の諸態様をここに記載するが、これら諸態様の多くの変種や置き換えはいずれもこの開示の範囲に含まれる。好ましい諸態様の利益や利点を幾つか提示するが、特定の利益や用途や目的に開示の範囲を限定するつもりではないことを断っておく。むしろ、様々な無線技術、システム構成、ネットワーク、伝送プロトコルに開示の諸態様を広く適用することを意図しており、これらの幾つかは、例として、図に示され、好ましい態様の以下の説明に示される。詳細な説明および図面は限定ではなくてむしろ開示の例に過ぎないのであって、開示の範囲は添付の特許請求の範囲とその均等物により定められる。
【００１７】
例示的な無線通信システム
ここに記載する技術は、直交多重化技術に基づく通信技術を含む様々な広帯域無線通信システムに使用することができる。そのような多元接続システムの例には、空間分割多元接続（SDMA:Spatial Division Multiple Access）、時分割多元接続（TDMA:time division multiple access）、直交周波数分割多元接続（OFDMA:Orthogonal Frequency Division Multiple Access）、シングルキャリア周波数分割多元接続（SC-FDMA:Single-Carrier Frequency Division Multiple Access）の各システムが含まれる。ＳＤＭＡシステムは、複数台のユーザ端末に属するデータを同時に伝送するために、十分に異なる方向を利用する。ＴＤＭＡシステムは、伝送信号を異なる時間スロットに分割して、個々の時間スロットを異なるユーザ端末に割り当てることにより、複数台のユーザ端末が同じ周波数チャネルを共用することを可能にする。ＯＦＤＭＡシステムは、システム帯域幅全体を複数個の直交サブキャリアに分割する変調技術である直交周波数分割多重化（ＯＦＤＭ）を利用する。これらのサブキャリアは、さらに、トーン、ビンなどとも呼ばれうる。ＯＦＤＭについて、各サブキャリアは、データと共に独立的に変調されうる。ＳＣ−ＦＤＭＡシステムは、システム帯域幅全体に亘って分散しているサブキャリアで伝送するためにインタリーブ周波数分割多元接続（IFDMA:interleaved FDMA）を、隣接サブキャリアのブロックで伝送するために局在化ＦＤＭＡ（LFDMA:localized FDMA）を、隣接キャリアの複数個のブロックで伝送するために高度化ＦＤＭＡ（EFDMA:enhanced FDMA）を利用できる。一般に変調シンボルは、ＯＦＤＭでは周波数領域で伝送され、ＳＣ−ＦＤＭＡでは時間領域で伝送される。
【００１８】
本願の諸教示は、有線無線を問わず様々な装置（例えば、ノード）に組み込むことができる（例えば、装置内で実施されたり、装置により実行されたりすることができる）。
【００１９】
幾つかの態様では、本願の諸教示にしたがって実施される無線ノードは、アクセスポイントまたはアクセス端末を含むことができる。
【００２０】
アクセスポイント（AP）は、Node B、無線ネットワークコントローラ（RNC）、evolved Node B （eNB）、基地局コントローラ（BSC）、基地トランシーバ局（BTS）、基地局（BS）、トランシーバ機能（TF）、無線ルータ、無線トランシーバ、基地サービスセット（BSS）、拡張サービスセット（ESS）（Extended Service Set）、無線基地局（RBS）またはいくつかの他の専門用語を含み、これらとして実施され、または、これらとして知られうる。
【００２１】
アクセス端末（AT）は、局（STA）、加入者局、加入者ユニット、移動局（MS）、遠隔局、遠隔端末、ユーザ端末（UT）、ユーザエージェント、ユーザ機器、ユーザ装置（UE）、ユーザ局またはいくつかの他の専門用語を含み、これらとして実施され、または、これらとして知られうる。幾つかの実施では、小型携帯移動電話機（cellular telephone）、コードレス電話（cordless telephone）、セッション開始プロトコル（SIP）電話（Session Initiation Protocol (SIP) phone）、無線局所ループ（WLL）局（wireless local loop (WLL) station）、パーソナルデジタルアシスタント（ＰＤＡ）（personal digital assistant (PDA)）、無線接続能力のある手持ち式装置、タブレットまたは無線モデムに接続されているその他の適切な処理装置がアクセス端末に含まれる。したがって、ここに教示されている１以上の態様は、電話機（例えば、小型携帯移動電話機やスマートフォン）、コンピュータ（例えば、ラップトップ）、携帯用通信装置、携帯用計算装置（例えば、パーソナルデータアシスタント）、娯楽用装置（例えば、音楽やビデオ装置、あるいは、衛星ラジオ）、全世界測位システム装置、または、無線や有線のモデムを介して通信をするように構成されている任意のその他の適切な装置に組み込むことができる。幾つかの態様ではノードは、無線ノードである。そのような無線ノードは、無線や有線の通信リンクを介してネットワーク（例えば、インターネットのようなワイドエリアネットワークや小ゾーン方式のネットワーク）のために接続性を提供したりそのようなネットワークへの接続性を提供したりする。
【００２２】
図１は、アクセスポイントおよびユーザ端末を備える多アクセス多入力多出力（ＭＩＭＯ）システム１００を示す。簡単のために、図１には１つのアクセスポイント１１０のみ示される。アクセスポイントは、一般に端末と通信する固定局であり、基地局と呼ばれることもあれば、その他の専門用語で呼ばれることもある。ユーザ端末は、据え付けの場合もあれば可動の場合もあり、移動局とか無線装置とかと呼ばれることもあれば、その他の用語で呼ばれることもある。アクセスポイント１１０は、任意の与えられた瞬間にアップリンクやダウンリンクにより１以上のユーザ端末１２０と通信する。ダウンリンク（例えば、フォワードリンク）は、アクセスポイントからユーザ端末に向かう通信リンクであり、アップリンク（例えば、リバースリンク）は、ユーザ端末からアクセスポイントに向かう通信リンクである。ユーザ端末は、ピア・ツー・ピアで別のユーザ端末と通信することもできる。システムコントローラ１３０は、アクセスポイントに連結されていて、アクセスポイントに協調と制御とを提供する。
【００２３】
以下の開示の幾つかの部分では、空間分割多元接続（SDMA）による通信の可能なユーザ端末１２０が説明されているが、幾つかの態様では、ＳＤＭＡをサポートしていないユーザ端末もユーザ端末１２０に含まれている。したがって、そのような態様のために、ＡＰ１１０は、ＳＤＭＡのユーザ端末と非ＳＤＭＡのユーザ端末の両者と通信するように構成されうる。この手法は、古い形式のユーザ端末（「レガシー(legacy)」局）が事業内で展開しているまま新しいＳＤＭＡ式ユーザ端末を適切な時期に導入することができるので、好都合にも古い形式のユーザ端末の寿命を延ばすことができる。
【００２４】
システム１００は、ダウンリンク及びアップリンクでのデータ伝送用に送信アンテナ及び受信アンテナをそれぞれ複数本ずつ備えている。アクセスポイント１１０は、ダウンリンク伝送のための多入力（MI）及びアップリンク伝送のための多出力（MO）を表すＮＡＰ本のアンテナが備え付けられている。Ｋセットの選択されたユーザ端末１２０は、ダウンリンク伝送のための多出力及びアップリンク伝送のための多入力を一括して表す。純然たるＳＤＭＡに関しては、Ｋ個のユーザ端末がある手段によって符号、周波数または時間で多重化されうる場合、ＮＡＰ≧Ｋ≧１となることが望まれる。データシンボルストリームがＴＤＭＡ技術、ＣＤＭＡでの異なるコードチャネル、ＯＦＤＭでのサブバンドのバラバラなセットなどを使用して多重化されることができれば、Ｋは、ＮＡＰより大きくなるであろう。
【００２５】
個々の選択されたユーザ端末は、ユーザに固有のデータをアクセスポイントに伝送したり、ユーザに固有のデータをアクセスポイントから受信したりする。一般に、個々の選択されたユーザ端末は、アンテナを１本以上（例えば、ＮUT≧１）備えつけられている。Ｋ台の選択されたユーザ端末は、同じ本数か異なる本数のアンテナを有しうる。
【００２６】
ＳＤＭＡシステムは、時分割複信（ＴＤＤ）システムまたは周波数分割複信（ＦＤＤ）システムでありうる。ＴＤＤシステムでは、ダウンリンク及びアップリンクは、同じ周波数帯を共用する。ＦＤＤシステムでは、ダウンリンク及びアップリンクは、異なる周波数帯を使用する。ＭＩＭＯシステム１００は、伝送に単一の搬送波または複数の搬送波を用いる。個々のユーザ端末は（例えば、費用を抑えるために）１本のアンテナしか備え付けられていないかもしれないが、（例えば、追加の費用を賄える場合には）複数本のアンテナが備え付けられているかもしれない。伝送信号を異なる時間スロットに分割して、個々の時間スロットを異なるユーザ端末１２０に割り当てることにより、複数台のユーザ端末１２０が同じ周波数チャネルを共用することができる場合には、システム１００は、ＴＤＭＡシステムでありうる。
【００２７】
図２は、ＭＩＭＯシステム中のアクセスポイント１１０、及び２つのユーザ端末１２０ｍ及び１２０ｘのブロック図を示す。アクセスポイント１１０は、Ｎｔ本のアンテナ２２４ａ〜２２４ｔが備え付けられている。ユーザ端末１２０ｍは、Ｎut,n本のアンテナ２５２ｍａ〜２５２ｍｕが備え付けられ、ユーザ端末１２０ｘは、Ｎut,x本のアンテナ２５２ｘａ〜２５２ｘｕが備え付けられている。アクセスポイント１１０は、ダウンリンクの送信側エンティティであり、アップリンクのは受信側エンティティである。各ユーザ端末１２０は、アップリンクの送信側エンティティであり、ダウンリンクの受信側エンティティである。ここで使用されているように、「送信側エンティティ」は、独立して作動する装置または無線チャネルによるデータの送信が可能な装置であり、「受信側エンティティ」は独立して作動する装置または無線チャネルによるデータの受信が可能な装置である。以下の記述では、添え字「ｄｎ」は、ダウンリンクを示し、添え字「ｕｐ」は、アップリンクを示し、Ｎup台のユーザ端末は、アップリンクでの同時送信に関して選択され、Ｎdn台のユーザ端末は、ダウンリンクでの同時送信に関して選択され、Ｎupは、Ｎdnと等しいかもしれず、または等しくないかもしれず、Ｎdn及びＮdnは、固定値かもしれず、各スケジュール間隔で変更できる。ビームステアリング（beam-steering）または何らかの他の空間処理技術は、アクセスポイントユーザ端末で用いられる。
【００２８】
アップリンクでは、アップリンク伝送のために選択された各ユーザ端末１２０で、ＴＸデータプロセッサ２８８は、データソース２８６からトラフィックデータを受信して制御装置２８０から制御データを受信する。ＴＸデータプロセッサ２８８は、ユーザ端末のために選択されたレートに関連付けられている符号化変調方式に基づいてユーザ端末のためにトラフィックデータを処理して（例えば、符号化したり、インタリーブしたり、変調したりして）データシンボルストリームを供給する。ＴＸ空間プロセッサ２９０は、データシンボルストリームに空間処理を施して、Ｎut,m個の伝送シンボルストリームをＮut,m本のアンテナに供給する。各送信機ユニット（ＴＭＴＲ）２５４は、それぞれの伝送シンボルストリームを受信して、これに処理を施して（例えば、アナログ信号に変換したり、増幅したり、フィルタリングしたり、周波数逓増したりして）アップリンク信号を生成する。
【００２９】
Ｎut,m台の送信機ユニット２５４は、Ｎut,m本のアンテナ２５２からクセスポイントへの送信のためのＮut,m個のアップリンク信号を供給する。
【００３０】
Ｎup台のユーザ端末は、アップリンクの同時送信のためにスケジュールされうる。これらのユーザ端末の各々は、そのデータシンボルストリームに空間処理を施して、その伝送シンボルストリーム一式をアップリンクでアクセスポイントに送信する。
【００３１】
アクセスポイント１１０では、Ｎap本のアンテナ２２４ａ〜２２４ａｐは、アップリンクで送信するのＮｕｐ台全てのユーザ端末からアップリンク信号を受信する。各アンテナ２２４は、受信信号をそれぞれの受信機ユニット（ＲＣＶＲ）２２２に供給する。各受信機ユニット２２２は、送信機ユニット２５４が施した処理に相補的な処理を施して受信シンボルストリームを供給する。ＲＸ空間プロセッサ２４０は、Ｎup台の受信ユニット２２２からのＮap個の受信シンボルストリームで受信機空間処理を実行し、Ｎｕｐ復元アップリンクデータシンボルストリームを供給する。受信機空間処理は、チャネル相関マトリックスインバージョン（CCMI）または最小平均二乗誤差（MMSE）またはソフト干渉消去（SIC）または何らかの他の技術にしたがって実行される。各復元アップリンクデータシンボルストリームは、それぞれのユーザ端末によって送信されたデータシンボルストリームの推定である。ＲＸデータプロセッサ２４２は、復号化データを取得するために、そのストリームについて使用されているレートにしたがって、各復元アップリンクデータシンボルストリームを処理する（例えば、復調したり、デインターリーブしたり、復号化したりする）。
【００３２】
各ユーザ端末についての復号化データは、保存のためにデータシンク２４４に供給されたり、さらなる処理のために制御装置２３０に供給されたりする。
【００３３】
ダウンリンクでは、アクセスポイント１１０では、ＴＸデータプロセッサ２１０は、ダウンリンク送信、コントローラ２３０からの制御データ、スケジューラ２３４からの可能性のある他のデータについてスケジュールされたＮsn台のユーザ端末についてのデータソース２０８からトラフィックデータを受信する。様々な種類データは、異なるトランスポートチャネルで送信される。ＴＸデータプロセッサ２１０は、ユーザ端末のために選択されたレートに基づいてユーザ端末毎にトラフィックデータを処理する（例えば、符号化したり、インターリーブしたり、変調したりする）。ＴＸデータプロセッサ２１０は、Ｎdn台のユーザ端末についてのＮdn個のダウンリンクデータシンボルストリームを供給する。ＴＸデータプロセッサ２２０は、Ｎdn個のダウンリンクシンボルストリームでの空間処理（例えば、本開示に記載されているようなプレコーディングまたはビームフォーミング）を実行し、Ｎap本のアンテナについてのＮap個の送信シンボルストリームを供給する。
【００３４】
各送信機ユニット２２２は、それぞれの送信シンボルストリームを受信して処理し、ダウンリンクデータシンボルストリームを生成する。Ｎap台の送信機ユニット２２２は、Ｎap本のアンテナ２２４からユーザ端末に伝送するためにＮap個のダウンリンク信号を供給する。
【００３５】
各ユーザ端末１２０において、Ｎut,m本のアンテナ２５２は、アクセスポイント１１０からＮap個のダウンリンク信号を受信する。各受信機ユニット２５４は、関連付けられているアンテナ２５２からの受信信号を処理して受信シンボルストリームを供給する。
【００３６】
ＲＸ空間処理プロセッサ２６０は、Ｎut,m台の受信機ユニット２５４からのＮut,m個の受信シンボルストリームに受信機空間処理を実行し、復元ダウンリンクデータシンボルストリームをユーザ端末に供給する。受信機空間処理は、ＣＣＭＩまたはＭＭＳＥまたは何らかの他の技術にしたがって実行される。ＲＸデータプロセッサ２７０は、復元ダウンリンクデータシンボルストリームを処理して（例えば、複合化したり、デインターリーブしたり、複合化したりして）ユーザ端末のための復号化データを取得する。
【００３７】
各ユーザ端末１２０では、チャネル推定器２７８は、ダウンリンクのチャネル応答を推定して、チャネル利得推定、ＳＮＲ推定、雑音分散、その他を含むダウンリンクチャネル推定を供給する。同様に、チャネル推定器２２８は、アップリンクのチャネル応答を推定してアップリンクチャネル推定を供給する。各ユーザ端末についてのコントローラ２８０は、通常、そのユーザ端末についてのダウンリンクチャネル応答行列Ｈdn,effに基づいてユーザ端末についての空間フィルタ行列を導き出す。コントローラ２３０は、有効なアップリンクチャネル応答行列Ｈup,effに基づいてアクセスポイントについての空間フィルタ行列を導き出す。各ユーザ端末についてのコントローラ２８０は、フィードバック情報（例えば、ダウンリンク及び／またはアップリンク固有ベクトル、固有値、ＳＮＲ推定値など）を送信できる。コントローラ２３０及び２８０は、さらに、アクセスポイント１１０及びユーザ端末１２０それぞれにおいて、様々な処理部の動作を制御する。
【００３８】
図３は、ＭＩＭＯシステム１００内で用いられうる無線機器３０２で利用されうる様々な構成要素を示す。無線機器３０２は、本明細書において説明される様々な技術を実施するように構成されうるデバイスの例である。無線機器３０２は、アクセスポイント１１０かもしれないし、ユーザ端末１２０かもしれない。
【００３９】
無線機器３０２は、無線機器３０２の動作を制御するプロセッサ３０４を含みうる。プロセッサ304は、また、中央処理ユニット（CPU）とも称されうる。読取専用メモリ（ROM）およびランダムアクセスメモリ（RAM）の両方ともを含みうるメモリ３０６は、命令群およびデータをプロセッサ３０４に供給する。メモリ306の一部は、また、非不揮発性ランダムアクセスメモリ（NVRAM）を含みうる。プロセッサ３０４は、通常、メモリ３０６内に格納されるプログラム命令群に基づいて、論理演算および算術演算を実行する。
【００４０】
メモリ３０６における命令群は、本明細書において説明される技術を実施するように実行可能でありうる。
【００４１】
無線機器３０２は、さらに、無線機器３０２とリモートロケーションとの間のデータの送信及び受信を許可する送信機３１０及び受信機３１２を含むことができる筐体３０８を含むことができる。送信機３１０及び受信機３１２は結合され、トランシーバ３１４となりうる。単一のまたは複数の送信アンテナ３１６は、筐体３０８に取り付けられることができ、トランシーバ３１４に電気的に接続されることができる。無線機器３０２は、さらに、複数の送信機、複数の受信機及び複数のトランシーバ（図示なし）を含むことができる。
【００４２】
無線デバイス３０２は、また、トランシーバ３１４によって受信される信号のレベルを検出および数値化しようと試みる際に使用されうる信号検出器３１８を含みうる。単一の検出器３１８は、全エネルギー、シンボル当たりのサブキャリア当たりのエネルギー、電力スペクトル密度のような信号及び他の信号を検出する。無線デバイス３０２は、また、信号を処理する際に使用するためのデジタル信号プロセッサ（DSP）３２０を含みうる。
【００４３】
無線デバイス３０２の様々な構成要素は、電力バスと、制御信号バスと、状態信号バスと、それに加えて、データバスとを含みうるシステムバス３２２によって一緒に結合されうる。
【００４４】
例示的なフレーム構造
通信するために、無線ネットワーク（例えば、図１に示されるシステム１００）におけるアクセスポイント（ＡＰ）１１０及びユーザ端末１２０は、特定のフレーム構造にしたがってメッセージを交換できる。図４は、本開示の特定の態様にしたがう無線通信についての例示的なフレーム構造４００を示す。フレーム構造４００は、プリアンブル４０１、媒体アクセス制御（MAC）ヘッダ４０２、フレーム本体４０４及びフレームチェックシーケンス（FCS）４０６を含むことができる。フレーム構造４００は、制御フレームがフレーム本体を含まないかもしれないが、IEEE 802.11規格にしたがって制御フレーム、データフレーム及び管理フレームについて使用されることができる。
【００４５】
図４は、さらに、ＭＡＣヘッダについての一般的なフレームフォーマット４０８を示す。
【００４６】
一般的なフレームフォーマット４０８は、データフレームフォーマットと同じでもあるが、以下のように分解されうる３０のオクテット(octets)を含むことができる。フレーム制御（FC）フィールド４１０についての２オクテット、デュレーション(Duration)／ＩＤフィールドについての２オクテット、アドレス１フィールド４１４についての６オクテット、アドレス２フィールド４１６についての６オクテット、アドレス３フィールド４１８についての６オクテット、シーケンス制御フィールド４２０についての２オクテット及びアドレス４フィールド４２２についての６オクテット。４つのアドレスフィールド４１４、４１６、４１８、４２２は、IEEEにおける透過移動性(transparent mobility)を許可するマルチキャストフレームをフィルタするために使用されるソースアドレス（SA）、行先アドレス(Destination Address)（DA）または追加のアドレス、例えば、送信機アドレス（TA）、受信機アドレス（RA）または基本サービスセット識別子(Basic Service Set Identifier)（BSSID）を含むことができる。これらのアドレスは、ユーザ端末１２０またはアクセスポイント１１０のような様々なネットワーク装置のＭＡＣアドレスでありうる。
【００４７】
図５Ａは、送信要求（Request to send）(RTS)フレームのようなショート制御フレーム（short control frame）についての例示的なフレームフォーマットを示す。制御フレームフォーマット５００は、ＦＣフィールド４１０、デュレーションフィールド４１２、ＲＡフィールド５０２及びＴＡフィールド５０４を含むことができる。この中で定義されているように、ＲＡは、一般的に、フレームが無線媒体上で送信されるＭＡＣアドレスを指す。
【００４８】
ＲＡは、個別アドレスまたはグループアドレスでありうる。ＴＡは、この中で定義されているように、一般的に、無線媒体にフレームを送信した局のＭＡＣアドレス指す。
【００４９】
図５Ｂは、送信可（Clear to Send）（CTS）フレームまたは肯定応答(ACK)フレームのようなショート制御フレームについての別の例示的なフレームフォーマット５１０を示す。この制御フレームフォーマット５１０は、ＴＡフィールド５０４以外は、図５Ａ中の制御フレームフォーマット５００と似ている。
【００５０】
図５Ｃは、管理フレームフォーマット５２０を示す。ＦＣフィールド４１０及び期間フレーム４１２に加えて、管理フレーム５２０は、ＤＡフィールド５２２、ＳＡフィールド５２４、ＢＳＳＩＤフィールド５２６及びシーケンス制御フィールド４２０を含むことができる。
【００５１】
図６Ａは、例示的なＭＡＣアドレス構造６００を示す。ＭＡＣアドレスは、６オクテット（４８ビット）を含むことができる。最初の３オクテットがＭＡＣアドレスを発した機構を示すことができ、管理組織固有識別子（Organizationally Unique Identifier）（OUI）６０２として知られている。２番目の３オクテット６０４は、ネットワークインタフェースコントローラ（NIC）固有であり、独自性の制約を条件として、ほぼ任意の方式で発行機構によって割り当てられることができる。
【００５２】
ＭＡＣアドレス構造６００では、最上位オクテットの最下位ビット （LSB）は、個別／グループ（Individual/Group）（I/G）アドレスビット６０６としてみなされる。このオクテットの次のＬＳＢは、ユニバーサル／ローカル管理アドレスビット（Universally/Locally Administered bit）６０８としてみなされる。
【００５３】
図６Ｂは、最初に送信される各バイトでＬＳＢを備える標準的な（canonical）形式での例示的な(１６進数での)ＭＡＣアドレスAC-DE-48-00-00-80を示す。この送信順序では、Ｉ／Ｇアドレスビット６０６及びＵ／Ｌ管理アドレスビットは、それぞれ、無線媒体で送信される最初の及び２番目のビットである。
【００５４】
例示的なレガシー互換性フレーム
IEEE 802.11acは、802.11ネットワークでのより高いスループットを可能にするIEEE 802.11規格の修正である。より高いスループットは、ＭＵ−ＭＩＭＯ（多ユーザ多入力多出力）、及び８０ＭＨｚまたは１６０ＭＨｚチャネル帯域幅の使用のようないくつかの指標を通じて実現される。IEEE 802.11acは、さらに、超高スループット（Very High Throughput）（VHT）として呼ばれる。
【００５５】
新たなＶＨＴ能力機器は、追加のまたは異なるＶＨＴ固有情報を備える制御フレームを利用できる。しかしながら、レガシー（legacy）機器（例えば、802.11a及び802.11nのようなIEEE 802.11規格に対する以前の修正をサポートする機器）は、特定のＶＨＴ制御フレームを解釈できないかもしれない。
【００５６】
したがって、必要なことは、レガシー制御フレームに存在しない情報を搬送できるIEEE 802.11acについての制御フレームを定義するための技術及び装置であり、ＶＨＴ制御フレームは、レガシー方式でのレガシー機器によって解釈されうる。
【００５７】
図７は、受信側エンティティ（例えば、ユーザ端末１２０またはアクセスポイント１１０）の観点から、フレームのＭＡＣアドレスに基づいて受信フレームを処理するための例示的な動作７００を示す。動作７００は、第１のＭＡＣアドレスの印を含む第１フレームを受信することにより、７０２で始まりうる。７０４では、受信側エンティティは、第１のＭＡＣアドレスに基づいて受信フレームを処理（例えば、解釈及び／または解析）できる。
【００５８】
受信第１フレームを処理することは、第１のＭＡＣアドレスにしたがって、レガシーフレームとして、または、超高スループット（VHT）フレームとして、第１フレームを解釈することを含むことができる。この中で使用されるような「レガシーフレーム」は、一般的に、802.11ac修正より前のIEEE 802.11規格の修正にしたがうフレームを指し、「ＶＨＴフレーム」は、一般的に、IEEE 802.11規格に対する802.11ac修正（またはその後の修正）にしたがうフレームを指す。
【００５９】
特定の態様について、受信側エンティティは、７０６において、第２のＭＡＣアドレスの印を含む第２フレームを受信できる。ここで、第２のＭＡＣアドレスは、第１のＭＡＣアドレスと異なる。７０８では、受信側エンティティは、第２フレームの処理が第１フレームの処理と異なるように、第２のＭＡＣアドレスに基づいて、受信第２フレームを処理できる。特定の態様について、受信側エンティティが第２のＭＡＣアドレスと共に受信されたフレームと異なる第１のＭＡＣアドレスと共に受信されたフレームを処理すると知るであろうように、受信側エンティティは、（例えば、第１のＭＡＣアドレスの印を含むフレームが受信側エンティティを対象としていることを受信側エンティティに知らせる）第１のＭＡＣアドレスを送る管理フレームを受信できる。
【００６０】
本開示の特定の態様は、新たな802.11 ac固有の制御フレームを同じ機器に関連付けられた第２のＭＡＣアドレスに送信することを含む。機器の第１のＭＡＣアドレスと共に受信されるフレームは、IEEE 802.11規格に対する802.11a修正または802.11n修正にしたがうように、典型的なレガシーフレームであろうものとして処理されうる。しかしながら、第２のＭＡＣアドレスと共に受信されるフレームは、802.11ac（またはIEEE802.11規格に対する後の修正）で定義される異なる規則にしたがって処理されうる。
【００６１】
第２のＭＡＣアドレスは、送信要求（RTS）フレーム、送信可（CTS）フレームまたは肯定応答（ACK）フレームのように、制御フレームのＲＡフィールド５０２で送信されうる。第２のＭＡＣアドレスは、さらに、データフレームの管理フレームのＤＡフィールド、または複数のアドレスフィールド（例えば、アドレス１フィールド４１４またはアドレス３フィールド４１８）のうちの１つで送信されうる。
【００６２】
特定の態様について、第２のＭＡＣアドレスは、機器と関連付けられた第２の固有のグローバルＭＡＣアドレスでありうる。
【００６３】
他の態様について、第２のＭＡＣアドレスは、ほぼ同じであり、例えば、１つまたは２つのみ異なる。例えば、第２のＭＡＣアドレスが第１のＭＡＣアドレスのグループアドレスバージョンであるように、第１のＭＡＣアドレスは、第１のＭＡＣアドレスの個別／グループ（I/G）アドレスビット６０６を１に設定することで形成されうる。言い換えれば、第１のＭＡＣアドレスのＩ／Ｇアドレスビット６０６は、０である。このように、第１のＭＡＣアドレスは、１つのアドレスビットだけ第２のＭＡＣアドレスと異なる。他の例として、第２のＭＡＣアドレスが第１のＭＡＣアドレスのローカル管理バージョンであるように、第２のＭＡＣアドレスは、第１のＭＡＣアドレスのユニバーサル／ローカル管理アドレスビット６０８を１に設定することで形成されうる。特定の態様について、これらの２つの発想は、組み合わせられうる。例えば、第２のＭＡＣアドレスが第１のＭＡＣアドレスのローカル管理バージョンであるように、第２のＭＡＣアドレスは、第１のＭＡＣアドレスのＩ／Ｇアドレスビット６０６を１に設定することで形成されうる。
【００６４】
特定の態様について、第２のＭＡＣアドレスは、U/L Administered address bit 608がこの方法で変更されないかもしれないので、機器が２つのグローバル管理ＭＡＣアドレス（globally administered MAC addresses）を有することを意味する最下位アドレスビットを反転させる（flipping）ことによって形成されうる。特定の態様について、第１のＭＡＣアドレスがいつも０に設定された最下位ビットを有するという慣例として、第２のＭＡＣアドレスは、最下位アドレスビットを１に設定することで形成されうる。代替として、第１のＭＡＣアドレスがいつも１に設定された最下位ビットを有するという慣例として、第２のＭＡＣアドレスは、最下位アドレスビットを０に設定することで形成されうる。
【００６５】
上述のアドレスビットに加えて、第２のＭＡＣアドレスは、第１のＭＡＣアドレスの予め定められたアドレスを反転させることで形成される。他の態様について、予め定められたアドレスビットがいつも第１のＭＡＣアドレス中で１であるという慣例として、第２のＭＡＣアドレスは、第１のＭＡＣアドレスの予め定められたアドレスビットを１に設定することで形成される。代替として、第２のＭＡＣアドレスは、予め定められたアドレスビットがいつも第１のＭＡＣアドレス中で１であるという慣例として、第１のＭＡＣアドレスの予め定められたアドレスビットを０に設定することで形成される。
【００６６】
特定の態様について、第２のＭＡＣアドレスは、管理フレーム中で送られうる。第２のＭＡＣアドレスは、情報要素（IE）として管理フレーム中に含まれうる。第２のＭＡＣアドレスと共に管理フレームを送信することにより、第２のＭＡＣアドレスは、第１のＭＡＣアドレスに関連付けられる必要がない。
【００６７】
動作では、送信側エンティティは、追加の情報がフレーム中に隠れていることを示すこと、または、フレームが異なる方式で解釈される、そうでなければ処理されるべきであることを示すこと、を対象の受信側エンティティの第２のＭＡＣアドレスにフレームを送りうる。受信側エンティティは、両方のＭＡＣアドレスが受信側エンティティに属するかもしれないが、第１のＭＡＣアドレスと共に受信されるフレームとは異なる第２のＭＡＣアドレスと共に受信されるフレームを解釈できるまたはそうでなければ処理できる。
【００６８】
第１のＭＡＣアドレスは、アドレス決定目的（address resolution purposes）で（すなわち、アドレスがAddress Resolution Protocol (ARP)を使用するために要求されるときに）提供されるアドレスでありうる。特定の態様について、第１のＭＡＣアドレスは、データフレームと共に使用されることができ、一方、第２のＭＡＣアドレスは、ＲＴＳフレーム、ＣＴＳフレームまたはＡＣＫフレームのような制御フレームと共に使用されうる。
【００６９】
第１のＭＡＣアドレスは、任意の送信についてのソースアドレス（Source Address）（SA）として使用されうる。上述にように、第２のＭＡＣアドレスは、定義されて規則（例えば、第１のＭＡＣアドレスの予め定められたアドレスビットを１に設定すること）を通じて、第１のＭＡＣアドレスから導かれることができ、または、第２のＭＡＣアドレスは、管理フレーム中ではっきりと通信されることができる。
【００７０】
特定の態様について、ＶＨＴ固有制御フレーム（例えば、ＲＴＳまたはＣＴＳフレーム）中で送信される情報は、制御フレームが送信された、または、制御フレームが受信されたチャネルについての情報を含みうる。IEEE 802.11acネットワークにおいて、基本的なチャネルユニットは、２０ＭＨｚ幅である。各ＰＰＤＵ（物理層変換プロトコル（PLCP）プロトコルデータユニット）は、２０、４０、８０または１６０ＭＨｚ（つまり、１つ、２つ、４つまたは８つの２０ＭＨｚチャネル）である。特定の態様について、この帯域幅情報は、ＭＡＣヘッダのデュレーションフィールドの２以上のビット（例えば、２以上のＬＳＢ）で符号化されうる。
【００７１】
典型的なフレームは、レガシー互換性フレームを使用するＳＴＡ  ＡとＳＴＡ  Ｂとの間の交換は、図８から１１に示される。これらの図で、「Ａ１」は、ＳＴＡ  Ａの第１のＭＡＣアドレスを示し、「Ｂ１」は、ＳＴＡ  Ｂの第１のＭＡＣアドレスを示す。「Ｂ２」は、ＳＴＡ  Ｂの第２のＭＡＣを示す。
【００７２】
図８は、ＲＴＳフレーム８０２が対象の受信側としてのＳＴＡ  Ｂの第２のＭＡＣアドレスＢ２に、ＳＴＡ  Ａによって送信されることを示す。ＲＴＳフレーム８０２は、ＶＨＳ固有情報のような、レガシーＲＴＳフレーム中に存在しない情報を含みうる。ＳＴＡ  Ｂは、この情報を抽出するために、レガシーＲＴＳフレームを典型的に解釈することと異なる手法で、受信ＲＴＳフレーム８０２を解釈できる。
【００７３】
ＲＴＳフレーム８０２を受信することに応答して、ＳＴＡ  Ｂは、対象の受信側としてのＳＴＡ  Ａの第２のＭＡＣアドレスにＣＴＳフレーム８０４を送信できる。ＣＴＳフレーム８０４は、ＶＨＴ固有情報のような、レガシーＣＴＳフレーム中に存在しない情報を含みうる。
【００７４】
ＣＴＳフレーム８０４を受信することで、ＳＴＡ  Ａは、データフレームがレガシーデータフレームを典型的に解釈するのと同じ手法でＳＴＡ  Ｂによって解釈されるべきであることを示す、データフレーム８０６を第１のＭＡＣアドレスと共に送信できる。データフレーム８０６を受け取ったことを知らせるために、ＳＴＡ  Ｂは、ブロック肯定応答（ＢＡ）のようなＡＣＫフレーム８０８を、対象の受信側としてのＳＴＡ  Ａの第１のＭＡＣアドレスに送信できる。
【００７５】
図９は、ＳＴＡ  ＡによってＳＴＡ  Ｂの第２のＭＡＣアドレスＢ２に送信されるＲＴＳフレーム８０２、その後に、ＳＴＡ  ＢによってＳＴＡ  Ａの第１のＭＡＣアドレスＡ１に送信されるＣＴＳフレーム９０２を示す。図８におけるCTSフレーム８０４と異なり、図９におけるＣＴＳフレーム９０２は、レガシーＣＴＳフレームについて存在する情報のみを含むことができる。このＲＴＳ／ＣＴＳ交換は、図８について上述されたように、ＳＴＡ  ＡとＳＴＡ  Ｂの第１のＭＡＣアドレス間のデータ／ＡＣＫ交換へと続きうる。
【００７６】
図１０は、図８について上述されたように、第２のＭＡＣアドレス間のＲＴＳ／ＣＳＴ交換を示す。これは、データフレームがレガシーデータフレーム中に存在しない情報を含むことを示すデータフレーム１００２をＳＴＡ  ＡがＳＴＡ  Ｂの第２のＭＡＣアドレスに送信することへと続きうる。データフレーム１００２を受信することに応答して、ＳＴＡ  Ｂは、新たな情報を含むデータを抽出するために、データフレーム１００２を解釈し、その後、ＡＣＫフレーム１００４がレガシーＡＣＫフレーム中に存在しない情報を含むことを示すＡＣＫフレーム１００４をＳＴＡ  Ａの第２のＭＡＣアドレスに送信できる。
【００７７】
図１１は、図１０に関して上述されたように、ＳＴＡ  ＡとＳＴＡ  Ｂの第２のＭＡＣアドレス間のデータ／ＡＣＫ交換へと続きうる。このシナリオにおいて、ＲＴＳ／ＣＴＳ交換は、データ／ＡＣＫ交換に先立って実行される必要はない。
【００７８】
例示的な送信機のシナリオにおいて、データフレームは、固有受信機アドレス（specific Receiver Address）（RA）に送信されうる。ＭＡＣ層は、送信がＲＴＳフレームだけ先行されるべきであること、ＲＡを備える機器が802.11acの能力があること、802.11ac固有情報がＲＴＳフレームに含まれるであろうことを決定できる。ＭＡＣ層は、802.11ac固有ＲＴＳフレームを形成でき、対象の受信機の第２のＭＡＣアドレスを含むことができる。第２のＭＡＣアドレスは、対象の受信機の第１のビットアドレス中の固有ビットを反転させることで形成されうる。
【００７９】
例示的な受信機シナリオにおいて、ＳＴＡは、ＳＴＡの第２のＭＡＣアドレスが対応付けられているＲＴＳフレームを受信できる。その後、ＳＴＡは、受信ＲＴＳを802.11ac固有として解釈できる。例えば、ＲＴＳフレームは、ＲＴＳフレームが送信されたチャネルについての情報を含みうる。
【００８０】
上述された方法の様々な動作は、対応する機能を実行可能な任意の適当な手段によって実行されうる。手段は、回路に限定されないが、特定用途向け集積回路（ASIC）またはプロセッサを含む様々なモジュール及び／または、ソフトウェアコンポーネント及び／またはハードウェアコンポーネントを含みうる。一般的に、図に示されるような動作があるが、これらの動作は、同様の番号を付した対応する同等物となるミーンズプラスファンクション（means-plus-function）コンポーネントを有する。例えば、図７に示される動作７００は、図７Ａに示される手段７００Ａに対応する。
【００８１】
例えば、送信するための手段は、図２に示されるアクセスポイント１１０の送信機ユニット２２２、図２に示されるユーザ端末１２０の送信機ユニット２５４または図３に示される無線機器３０２の送信機３１０のような送信機を含みうる。受信するための手段は、図２に示されるアクセスポイント１１０の受信機ユニット２２２、図２に示されるユーザ端末１２０の受信機ユニット２５４または図３に示される無線機器３０２の受信機３１２のような受信機を含みうる。処理するための手段は、ユーザ端末１２０のＲＸデータプロセッサ２７０及び／またはコントローラ２８０、または、アクセスポイントのＲＸデータプロセッサ２４２及び／またはコントローラ２３０のような１以上のプロセッサを含みうる処理システムを含みうる。
【００８２】
ここで使用される「決定する」という用語は、幅広いさまざまな動作を含む。例えば、「決定する」は、算出する、計算する、処理する、導出する、調べる、検索する（例えば、表、データベース、または、別のデータ構造中において検索する）、確認する、および、これらに類するものを含めることができる。また、「決定する」は、受信する（例えば、情報を受信する）、アクセスする（例えば、メモリ中のデータにアクセスする）、および、これらに類するものを含めることができる。また、「決定する」は、解決する、選択する、選ぶ、確立する、および、これらに類するものを含めることができる。
【００８３】
ここで使用されるアイテムのリストのうちの「少なくとも１つ」というフレーズは、単一の構成を含む、それらのアイテムの任意の組み合わせのことを指す。例としては、「a, bまたはcのうちの少なくとも１つ」は、a、b、c、a-b、a-c、b-c及びa-b-cを包含するように意図される。
【００８４】
本開示に関連して説明された、様々な実例となる論理ブロック、モジュール及び回路は、汎用プロセッサ、デジタル信号プロセッサ（DSP）、特定用途向け集積回路（ASIC）、フィールドプログラマブルゲートアレイ信号（FPGA）または他のプログラマブル論理デバイス（PLD）、離散ゲートまたはトランジスタ論理、離散ハードウェアコンポーネント、あるいは、ここで記載された機能を実行するように設計されているこれらの任意の組み合わせで、実施または実行されうる。汎用プロセッサは、マイクロプロセッサでありうる、代替実施形態では、プロセッサは、何らかの従来のプロセッサ、コントローラ、マイクロコントローラ、または、状態機械でありうる。プロセッサは、また、例えば、ＤＳＰとマイクロプロセッサの組み合わせ、複数のマイクロプロセッサ、ＤＳＰコアと連携した１つまたは複数のマイクロプロセッサ、あるいはその他任意のこのような構成である計算デバイスの組み合わせとして実施されうる。
【００８５】
本開示に関連して記載された方法またはアルゴリズムのステップは、ハードウェアで、プロセッサにより実行されるソフトウェアモジュールで、または、２つのものを組み合わせたもので直接的に具現化されうる。ソフトウェアモジュールは、技術的に知られた任意の形態の記憶媒体の中に存在する。使用されうる記憶媒体のいくつかの例は、ランダムアクセスメモリ（RAM）、読取専用メモリ（ROM）、フラッシュメモリ、ＥＰＲＯＭメモリ、ＥＥＰＲＯＭメモリ、レジスタ、ハードディスク、リムーバブルディスク、ＣＤＲＯＭなどを含む。ソフトウェアモジュールは、単一の指示または多くの指示を含むことができ、異なるプログラム内のいくつかの異なるコードセグメントにまたがって、及び複数の記憶媒体を横断して分散されうる。記憶媒体は、プロセッサが記憶媒体から情報を読み出せ、記憶媒体に情報を書き込めるように、プロセッサに接続されうる。代替において、記憶媒体は、プロセッサと一体化されうる。
【００８６】
本明細書において開示される方法は、記載された方法を達成するための１以上のステップを備える。方法ステップ及び／または動作は、特許請求の範囲から逸脱することなくお互いに入れ替えられうる。言い換えると、ステップまたは動作の特定の順序が指定されていない限り、特定のステップ及び／または動作の順序及び／または使用は、特許請求の範囲から逸脱することなく、修正されうる。
【００８７】
記載された機能は、ハードウェアで、ソフトウェアで、ファームウェアで、または、これらの任意の組み合わせで実施されうる。ハードウェア内で実施される場合、ハードウェア構成は、無線ノード内に処理システムを含みうる。処理システムは、バス構造で実施されうる。バスは、処理システムの特定アプリケーション及び全体的な設計制約に依存して、任意の数の相互接続バス及びブリッジを含みうる。バスは、プロセッサ、機械可読媒体及びバスインタフェースを含む様々な回路と共につながる。バスインタフェースは、他の要素中で、ネットワークアダプタをバスを介して処理システムとつなげるために使用されうる。ネットワークアダプタは、ＰＨＹ層の信号処理機能を実施するために使用されうる。アクセス端末１１０（図１参照）のケースにおいて、ユーザインタフェース（例えば、キーパッド、ディスプレイ、マウス、ジョイスティックなど）は、さらに、バスに接続されうる。バスは、さらに、技術的によく知られているが故にこれ以上記載されないであろうが、タイミングソース、周辺機器、電圧調整器、電源管理回路などのような他の様々な回路とつながることができる。
【００８８】
プロセッサは、バスの管理及び機械可読媒体に保存されたソフトウェアの実行を含む一般的な処理を担うことができる。プロセッサは、１以上の汎用及び／または特定用途プロセッサで実施されうる。例示は、マイクロプロセッサ、マイクロコントローラ、ＤＳＰプロセッサ及びソフトウェアを実行可能な他の回路を含む。ソフトウェアは、ソフトウェア、ファームウェア、ミドルウェア、マイクロコード、ハードウェア、記述言語またはその他として呼ばれるか否かによらず、指示、データまたはその任意の組み合わせを広く意味するように解釈されるであろう。例として、機械可読媒体は、ＲＡＭ （Random Access Memory）、フラッシュメモリ、 ＲＯＭ （Read Only Memory）、 ＰＲＯＭ （Programmable Read-Only Memory）、ＥＰＲＯＭ（Erasable Programmable Read-Only Memory）、ＥＥＰＲＯＭ（Electrically Erasable Programmable Read-Only Memory）、レジスタ、磁気ディスク、光ディスク、ハードドライブ、または任意の他の適当な記憶媒体、または、これらの任意の組み合わせを含みうる。機械可読媒体は、コンピュータプログラムプロダクト中に具現化される。コンピュータプログラムプロダクトは、パッケージ化マテリアルを含みうる。
【００８９】
ハードウェア実施では、機械可読媒体は、プロセッサから分離した処理システムの一部でありうる。しかしながら、当業者は、機械可読媒体またはその任意の一部分が処理システムの外であってもよいことをすぐに理解するでしょう。例として、機械可読媒体は、伝送ライン、データによって変調された搬送波及び／または無線ノードから分離されたコンピュータプロダクト、バスインタフェースを通じてプロセッサによってアクセスされうる全てを含みうる。代替として、または加えて、機械可読媒体または任意のその一部分は、キャッシュ及び／または一般的なレジスタファイルを備えうる場合のように、プロセッサ内に集積されうる。
【００９０】
処理システムは、プロセッサ機能を提供する１以上のマイクロプロセッサ及び機械可読媒体の少なくとも一部分を提供する外部メモリ、外部バス構造を通じた他の補助回路（supporting circuitry）と共につながれた全てを備える汎用処理システムとして構成されうる。代替として、処理システムは、プロセッサを備えたＡＳＩＣ（特定用途向け集積回路）、バスインタフェース、アクセス端末の場合のユーザインタフェース、補助回路及び単一のチップ中に集積された、または、１以上のＦＰＧＡ（フィールドプログラマブルゲートアレイ）を備える機械可読媒体の少なくとも一部分、ＰＬＤ（プログラマブルロジックデバイス）、コントローラ、状態機械、ゲート化論理、離散型ハードウェアコンポーネント、または、任意の他の適当な回路、または、この開示を通じて記載された様々な機能を実施できる回路の任意の組み合わせで実施されうる。当業者は、システム全体で強いられる全体設計の制約及び特定のアプリケーションに応じて、処理システムのために記載された機能を実施することがどれほど最善であるかを理解できるであろう。
【００９１】
機械可読媒体は、いくつかのソフトウェアモジュールを含みうる。ソフトウェアモジュールは、プロセッサによって実行されるとき、処理システムに様々な機能を実行させる指示を含む。ソフトウェアモジュールは、送信モジュール及び受信モジュールを含みうる。各ソフトウェアモジュールは、単一の記憶装置に存在することができ、または複数の記憶装置を横断して分散されることができる。例として、トリガイベントの発生時に、ソフトウェアモジュールは、ハードドライブからＲＡＭにロードされうる。
【００９２】
ソフトウェアモジュールの実行中に、プロセッサは、アクセス速度を上げるために、キャッシュにいくつかの指示をロードできる。その後、１以上のキャッシュラインは、プロセッサによる実行のために、一般的なレジスタファイルにロードされうる。以下のソフトウェアの機能を参照するとき、そのソフトウェアモジュールからの指示を実行するときに、そのような機能がプロセッサによって実行されることは、理解されるでしょう。ソフトウェアで実施される場合、これらの機能は、コンピュータ読取可能媒体上で、１つまたは複数の命令またはコードとして送信または記憶されうる。コンピュータ読取可能媒体は、１つの場所から別の場所へのコンピュータプログラムの転送を容易にする任意の媒体を含む通信媒体と、コンピュータ記憶媒体との両方を含む。記憶媒体は、コンピュータがアクセスすることのできる任意の利用可能な媒体でありうる。限定ではなく例として、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置またはその他の磁気記憶デバイス、あるいは、データ構造または命令の形式で所望のプログラムコードを記憶または搬送するために使用可能であり、かつコンピュータによってアクセスされうるその他任意の媒体を備えうる。さらに、任意の接続手段は、コンピュータ可読媒体と適切に呼ばれる。例えば、ソフトウェアが、同軸ケーブル、光ファイバーケーブル、ツイストペア、デジタル加入者回線（DSL）、または赤外線、電波、およびマイクロ波のような無線技術を使用して、ウェブサイト、サーバ、または他の遠隔ソースから送信される場合には、この同軸ケーブル、光ファイバーケーブル、ツイストペア、ＤＳＬ、または赤外線、電波、およびマイクロ波のような無線技術は、媒体の定義に含まれる。ここで使用されるようなディスク（disk及びdisc）は、コンパクトディスク（CD）、レーザディスク、光ディスク、デジタル多用途ディスク（DVD）、フロッピー（登録商標）ディスク、および、ブルーレイディスクを含んでいる。ここで、ディスク（disk）が通常、データを磁気的に再生する一方で、ディスク（disc）はデータをレーザによって光学的に再生する。
【００９３】
したがって、いくつかの態様では、コンピュータ可読媒体は、非一時的なコンピュータ可読媒体（例えば、タンジブル媒体）を含みうる。さらに、他の態様について、コンピュータ可読媒体は、一時的なコンピュータ可読媒体（例えば、信号）を含みうる。上記の組み合わせもまた、コンピュータ可読媒体の範囲内に含まれるべきである。したがって、ある態様は、ここに提示された動作を実行するためのコンピュータプログラムプロダクトを含んでいてもよい。例えば、このようなコンピュータプログラムプロダクトは、その上に記憶されている（及び／またはエンコードされている）命令を有するコンピュータ可読媒体を含んでもよく、命令は、ここで記載された動作を実行するために、１以上のプロセッサにより実行可能である。ある態様では、コンピュータプログラムプロダクトは、パッケージングマテリアルを含んでもよい。
【００９４】
さらに、ここで記載されているモジュール及び／または、方法及び／または技術を実行するための適切な手段は、適応されるユーザ端末及び／または基地局により、ダウンロード、ならびに／あるいは、そうでなければ取得することができることは、正しく認識されるべきである。例えば、そのような機器は、ここで記載されている方法を実行するための手段の転送を促進するために、サーバに結合できる。代替的に、ユーザ端末及び／または基地局が、記憶手段を機器に結合するとき、または、記憶手段を機器に提供するときに、さまざまな方法を取得できるように、ここで記載された様々な方法は、記憶手段（例えば、ＲＡＭ、ＲＯＭ、コンパクトディスク（CD）もしくはフロッピーディスクのような物理記憶媒体等）を介して提供されうる。さらに、ここで記載された方法及び技術を機器に提供する他の何らかの適切な技術は、利用されうる。
【００９５】
特許請求の範囲が上記に説明された厳密な構成及びコンポーネントに限定されないことは、理解されるべきである。特許請求の範囲から逸脱することなく、上述された方法及び装置の、構成、動作、及び詳細において、様々な修正、変更、及びバリエーションはなされうる。
【図１】
2013541910.tif 000003
【図２】
2013541910.tif 000004
【図３】
2013541910.tif 000005
【図４】
2013541910.tif 000006
【図５Ａ】
2013541910.tif 000007
【図５Ｂ】
2013541910.tif 000008
【図５Ｃ】
2013541910.tif 000009
【図６Ａ】
2013541910.tif 000010
【図６Ｂ】
2013541910.tif 000011
【図７】
2013541910.tif 000012
【図７Ａ】
2013541910.tif 000013
【図８】
2013541910.tif 000014
【図９】
2013541910.tif 000015
【図１０】
2013541910.tif 000016
【図１１】
2013541910.tif 000017
【手続補正書】
【提出日】平成25年6月3日(2013.6.3)
【手続補正１】
【補正対象書類名】特許請求の範囲
【補正対象項目名】全文
【補正方法】変更
【補正の内容】
【特許請求の範囲】
【請求項１】
当該装置に関連付けられた第１の媒体アクセス制御（MAC）アドレスの印を含む第１フレームを受信するように構成された受信機と、
前記第１のＭＡＣアドレスに基づいて前記受信第１フレームを解析するように構成された処理システムと、
を備え、
前記受信機は、当該装置に関連付けられた第２のＭＡＣアドレスの印を含む第２フレームを受信するように構成され、ここで、前記第２のＭＡＣアドレスは前記第１のＭＡＣアドレスと異なる、前記処理システムは、前記第２フレームの解析が前記第１フレームの解析と異なるように、前記第２のＭＡＣアドレスに基づいて、前記受信第２フレームを解析するように構成されている、
無線通信装置。
【請求項２】
前記処理システムは、前記第１のＭＡＣアドレスに基づいて、レガシーフレームとして、または、超高スループット（VHT） フレームとして、前記第１フレームを解釈することで、前記受信第１フレームを解析するように構成されている、請求項１記載の装置。
【請求項３】
前記処理システムは、前記第１フレームから、米国電気電子学会（IEEE）802.11規格に対するIEEE 802.11ac修正によってサポートされる情報を抽出することにより、前記受信第１フレームを解析するように構成されている、請求項１記載の装置。
【請求項４】
前記処理システムは、前記第１フレームから、前記第１フレームが送信された１以上のチャネルについての情報を抽出することにより、前記受信第１フレームを解析するように構成されている、請求項１記載の装置。
【請求項５】
前記情報は、前記第１フレームのデュレーションフィールドの２以上の最下位ビット（LSBs）によって示される、請求項４記載の装置。
【請求項６】
前記処理システムは、米国電気電子学会（IEEE）802.11規格に対する802.11a修正または802.11n修正に基づいて前記第２フレームを解析することで、前記第２のフレームを解析するように構成されている、請求項５記載の装置。
【請求項７】
前記第１のフレームは、制御フレームを含む、請求項５記載の装置。
【請求項８】
送信機をさらに含み、
前記制御フレームは送信要求（RTS）フレームを含み、前記送信機は、前記受信ＲＴＳフレームに応答して、送信可（CTS） フレームを他の装置に送信するように構成され、
前記第２のフレームは、前記ＣＴＳフレームに応答して前記他の装置によって送信されるデータフレームを含む、請求項７記載の装置。
【請求項９】
前記第１のＭＡＣアドレスは、前記第２のＭＡＣアドレスと１つのアドレスビットのみ異なる、請求項５記載の装置。
【請求項１０】
前記１つのアドレスビットは、個別／グループ（I/G）アドレスビット、ユニバーサル／ローカル（U/L）管理アドレスビット、または、最下位アドレスビットを含む、請求項９記載の装置。
【請求項１１】
前記受信機は、前記第１のＭＡＣアドレスの前記印を含むフレームが前記装置を対象としていることを前記装置に知らせる管理フレームを受信するように構成されている、請求項１記載の装置。
【請求項１２】
装置において、前記装置と関連付けられた第１の媒体アクセス制御（MAC）アドレスの印を含む第１フレームを受信することと、
前記第１のＭＡＣアドレスに基づいて前記受信第１フレームを解析することと、
前記装置と関連付けられた第２のＭＡＣアドレスの印を含む第２フレームを受信することと、ここで、前記第２のＭＡＣアドレスは前記第１のＭＡＣアドレスと異なる、
前記第２フレームの解析が前記第１フレームの解析と異なるように、前記第２のＭＡＣアドレスに基づいて、前記受信第２フレームを解析することと、
をさらに含む、請求項１３記載の方法。
を備える、無線通信方法。
【請求項１３】
前記受信第１フレームを解析することは、前記第１のＭＡＣアドレスの前記印に基づいて、レガシーフレームとして、または、超高スループット（VHT） フレームとして、前記第１フレームを解釈することを含む、請求項１２記載の方法。
【請求項１４】
前記受信第１フレームを解析することは、前記第１フレームから、米国電気電子学会（IEEE）802.11規格に対するIEEE 802.11ac修正によってサポートされる情報を抽出することを含む、請求項１２記載の方法。
【請求項１５】
前記受信第１フレームを解析することは、前記第１フレームから、前記第１フレームが送信された１以上のチャネルについての情報を抽出することを含む、請求項１２記載の方法。
【請求項１６】
前記情報は、前記第１フレームのデュレーションフィールドの２以上の最下位ビット（LSBs）によって示される、請求項１５記載の方法。
【請求項１７】
前記第２のフレームを解析することは、米国電気電子学会（IEEE）802.11規格に対する802.11a修正または802.11n修正に基づいて前記第２フレームを解析することを含む、請求項１２記載の方法。
【請求項１８】
前記第１のフレームは、制御フレームを含む、請求項１２記載の方法。
【請求項１９】
前記受信制御フレームに応答して、送信可（CTS） フレームを他の装置に送信することをさらに含み、ここで、前記制御フレームは、送信要求（RTS）フレームを含み、前記第２フレームは、前記ＣＴＳフレームに応答して前記他の装置によって送信されるデータフレームを含む、請求項１８記載の方法。
【請求項２０】
前記第１のＭＡＣアドレスは、前記第２のＭＡＣアドレスと１つのアドレスビットのみ異なる、請求項１２記載の方法。
【請求項２１】
前記１つのアドレスビットは、個別／グループ（I/G）アドレスビット、ユニバーサル／ローカル（U/L）管理アドレスビット、または、最下位アドレスビットを含む、請求項２０記載の方法。
【請求項２２】
前記第１のＭＡＣアドレスの前記印を含むフレームが前記装置を対象としていることを前記装置に知らせる管理フレームを受信することをさらに含む、請求項１２記載の方法。
【請求項２３】
当該装置と関連付けられた第１の媒体アクセス制御（MAC）アドレスの印を含む第１フレームを受信するための手段と、
前記第１のＭＡＣアドレスに基づいて前記受信第１フレームを解析するための手段と、
を備え、
前記受信するための手段は、当該装置と関連付けられた第２のＭＡＣアドレスの印を含む第２フレームを受信するように構成され、ここで、前記第２のＭＡＣアドレスは前記第１のＭＡＣアドレスと異なる、前記解析するための手段は、前記第２フレームの解析が前記第１フレームの解析と異なるように、前記第２のＭＡＣアドレスに基づいて、前記受信第２フレームを解析するように構成されている、
無線通信装置。
【請求項２４】
前記受信第１フレームを解析するための手段は、前記第１のＭＡＣアドレスの前記印に基づいて、レガシーフレームとして、または、超高スループット（VHT） フレームとして、前記第１フレームを解釈するように構成されている、請求項２３記載の装置。
【請求項２５】
前記解析するための手段は、前記第１フレームから、米国電気電子学会（IEEE）802.11規格に対するIEEE 802.11ac修正によってサポートされる情報を抽出することにより、前記受信第１フレームを解析するように構成されている、請求項２３記載の装置。
【請求項２６】
前記解析するための手段は、前記第１フレームから、前記第１フレームが送信された１以上のチャネルについての情報を抽出することにより、前記受信第１フレームを解析するように構成されている、請求項２３記載の装置。
【請求項２７】
前記情報は、前記第１フレームのデュレーションフィールドの２以上の最下位ビット（LSBs）によって示される、請求項２６記載の装置。
【請求項２８】
前記解析するための手段は、米国電気電子学会（IEEE）802.11規格に対する802.11a修正または802.11n修正に基づいて前記第２フレームを解析することで、前記第２のフレームを解析するように構成されている、請求項２３記載の装置。
【請求項２９】
前記第１のフレームは、制御フレームを含む、請求項２３記載の装置。
【請求項３０】
送信するための手段をさらに含み、
前記制御フレームは送信要求（RTS）フレームを含み、前記送信するために手段は、前記受信ＲＴＳフレームに応答して、送信可（CTS） フレームを他の装置に送信するように構成され、
前記第２のフレームは、前記ＣＴＳフレームに応答して前記他の装置によって送信されるデータフレームを含む、請求項２９記載の装置。
【請求項３１】
前記第１のＭＡＣアドレスは、前記第２のＭＡＣアドレスと１つのアドレスビットのみ異なる、請求項２３記載の装置。
【請求項３２】
前記１つのアドレスビットは、個別／グループ（I/G）アドレスビット、ユニバーサル／ローカル（U/L）管理アドレスビット、または、最下位アドレスビットを含む、請求項３１記載の装置。
【請求項３３】
前記受信するための手段は、前記第１のＭＡＣアドレスの前記印を含むフレームが前記装置を対象としていることを前記装置に知らせる管理フレームを受信するように構成されている、請求項２３記載の装置。
【請求項３４】
装置において、前記装置に関連付けられた媒体アクセス制御（MAC）アドレスの印を含むフレームを受信する、
前記ＭＡＣアドレスに基づいて前記受信フレームを解析する、
前記装置に関連付けられた第２のＭＡＣアドレスの印を含む第２フレームを受信する、ここで、前記第２のＭＡＣアドレスは前記第１のＭＡＣアドレスと異なる、
前記第２フレームの解析が前記第１フレームの解析と異なるように、前記第２のＭＡＣアドレスに基づいて、前記受信第２フレームを解析する、
ことを実行可能な指示を含むコンピュータ可読媒体を含む無線通信のためのコンピュータプログラムプロダクト。
【請求項３５】
少なくとも１つのアンテナと、
前記少なくとも１つのアンテナを介して、当該無線ノードと関連付けられた第１の媒体アクセス制御（MAC）アドレスの印を含む第１のフレームを受信するように構成された受信機と、
前記第１のＭＡＣアドレスに基づいて前記受信フレームを解析するように構成された処理システムと、
を備え、
前記受信機は、当該無線ノードに関連付けられた第２のＭＡＣアドレスの印を含む第２フレームを受信するように構成され、ここで、前記第２のＭＡＣアドレスは前記第１のＭＡＣアドレスと異なる、前記処理システムは、前記第２フレームの解析が前記第１フレームの解析と異なるように、前記第２のＭＡＣアドレスに基づいて、前記受信第２フレームを解析するように構成されている、
無線ノード。
【手続補正２】
【補正対象書類名】明細書
【補正対象項目名】００９５
【補正方法】変更
【補正の内容】
【００９５】
特許請求の範囲が上記に説明された厳密な構成及びコンポーネントに限定されないことは、理解されるべきである。特許請求の範囲から逸脱することなく、上述された方法及び装置の、構成、動作、及び詳細において、様々な修正、変更、及びバリエーションはなされうる。
以下、本願の出願当初の特許請求の範囲に記載の発明を付記する。  
［１］  第１の媒体アクセス制御（MAC）アドレスの印を含む第１フレームを受信するように構成された受信機と、
前記第１のＭＡＣアドレスに基づいて前記受信第１フレームを解析するように構成された処理システムと、
を備える、無線通信装置。
［２］  前記処理システムは、前記第１のＭＡＣアドレスに基づいて、レガシーフレームとして、または、超高スループット（VHT） フレームとして、前記第１フレームを解釈することで、前記受信第１フレームを解析するように構成されている、［１］記載の装置。
［３］  前記処理システムは、前記第１フレームから、米国電気電子学会（IEEE）802.11規格に対するIEEE 802.11ac修正または後の修正によってサポートされる情報を抽出することにより、前記受信第１フレームを解析するように構成されている、［１］記載の装置。
［４］  前記処理システムは、前記第１フレームから、前記第１フレームが送信された１以上のチャネルについての情報を抽出することにより、前記受信第１フレームを解析するように構成されている、［１］記載の装置。
［５］  前記情報は、前記第１フレームのデュレーションフィールドの２以上の最下位ビット（LSBs）によって示される、［１］記載の装置。
［６］  前記受信機は、第２のＭＡＣアドレスの印を含む第２フレームを受信するように構成され、ここで、前記第２のＭＡＣアドレスは前記第１のＭＡＣアドレスと異なる、
前記処理システムは、前記第２フレームの解析が前記第１フレームの解析と異なるように、前記第２のＭＡＣアドレスに基づいて、前記受信第２フレームを解析するように構成されている、［１］記載の装置。
［７］  前記処理システムは、米国電気電子学会（IEEE）802.11規格に対する802.11a修正または802.11n修正に基づいて前記第２フレームを解析することで、前記第２のフレームを解析するように構成されている、［６］記載の装置。
［８］  前記第１のフレームは、制御フレームを含む、［６］記載の装置。
［９］  送信機をさらに含み、
前記制御フレームは送信要求（RTS）フレームを含み、前記送信機は、前記受信ＲＴＳフレームに応答して、送信可（CTS） フレームを他の装置に送信するように構成され、
前記第２のフレームは、前記ＣＴＳフレームに応答して前記他の装置によって送信されるデータフレームを含む、［８］記載の装置。
［１０］  前記第１のＭＡＣアドレスは、前記第２のＭＡＣアドレスと１つのアドレスビットのみ異なる、［６］記載の装置。
［１１］  前記１つのアドレスビットは、個別／グループ（I/G）アドレスビット、ユニバーサル／ローカル（U/L）管理アドレスビット、または、最下位アドレスビットを含む、［１０］記載の装置。
［１２］  前記受信機は、前記第１のＭＡＣアドレスの前記印を含むフレームが前記装置を対象としていることを前記装置に知らせる管理フレームを受信するように構成されている、［１］記載の装置。
［１３］  装置において、第１の媒体アクセス制御（MAC）アドレスの印を含む第１フレームを受信することと、
前記第１のＭＡＣアドレスに基づいて前記受信第１フレームを解析することと、
を備える、無線通信方法。
［１４］  前記受信第１フレームを解析することは、前記第１のＭＡＣアドレスに基づいて、レガシーフレームとして、または、超高スループット（VHT） フレームとして、前記第１フレームを解釈することを含む、［１３］記載の方法。
［１５］  前記受信第１フレームを解析することは、前記第１フレームから、米国電気電子学会（IEEE）802.11規格に対するIEEE 802.11ac修正または後の修正によってサポートされる情報を抽出することを含む、［１３］記載の方法。
［１６］  前記受信第１フレームを解析することは、前記第１フレームから、前記第１フレームが送信された１以上のチャネルについての情報を抽出することを含む、［１３］記載の方法。
［１７］  前記情報は、前記第１フレームのデュレーションフィールドの２以上の最下位ビット（LSBs）によって示される、［１６］記載の方法。
［１８］  第２のＭＡＣアドレスの印を含む第２フレームを受信することと、ここで、前記第２のＭＡＣアドレスは前記第１のＭＡＣアドレスと異なる、
前記第２フレームの解析が前記第１フレームの解析と異なるように、前記第２のＭＡＣアドレスに基づいて、前記受信第２フレームを解析することと、
をさらに含む、［１３］記載の方法。
［１９］  前記第２のフレームを解析することは、米国電気電子学会（IEEE）802.11規格に対する802.11a修正または802.11n修正に基づいて前記第２フレームを解析することを含む、［１８］記載の方法。
［２０］  前記第１のフレームは、制御フレームを含む、［１８］記載の方法。
［２１］  前記受信制御フレームに応答して、送信可（CTS） フレームを他の装置に送信することをさらに含み、ここで、前記制御フレームは、送信要求（RTS）フレームを含み、前記第２フレームは、前記ＣＴＳフレームに応答して前記他の装置によって送信されるデータフレームを含む、［２０］記載の方法。
［２２］  前記第１のＭＡＣアドレスは、前記第２のＭＡＣアドレスと１つのアドレスビットのみ異なる、［１８］記載の方法。
［２３］  前記１つのアドレスビットは、個別／グループ（I/G）アドレスビット、ユニバーサル／ローカル（U/L）管理アドレスビット、または、最下位アドレスビットを含む、［２２］記載の方法。
［２４］  前記第１のＭＡＣアドレスの前記印を含むフレームが前記装置を対象としていることを前記装置に知らせる管理フレームを受信することをさらに含む、［１３］記載の方法。
［２５］  第１の媒体アクセス制御（MAC）アドレスの印を含む第１フレームを受信するための手段と、
前記第１のＭＡＣアドレスに基づいて前記受信第１フレームを解析するための手段と、
を備える、無線通信装置。
［２６］  前記受信第１フレームを解析するための手段は、前記第１のＭＡＣアドレスに基づいて、レガシーフレームとして、または、超高スループット（VHT） フレームとして、前記第１フレームを解釈するように構成されている、［２５］記載の装置。
［２７］  前記解析するための手段は、前記第１フレームから、米国電気電子学会（IEEE）802.11規格に対するIEEE 802.11ac修正または後の修正によってサポートされる情報を抽出することにより、前記受信第１フレームを解析するように構成されている、［２５］記載の装置。
［２８］  前記解析するための手段は、前記第１フレームから、前記第１フレームが送信された１以上のチャネルについての情報を抽出することにより、前記受信第１フレームを解析するように構成されている、［２５］記載の装置。
［２９］  前記情報は、前記第１フレームのデュレーションフィールドの２以上の最下位ビット（LSBs）によって示される、［２８］記載の装置。
［３０］  前記受信するための手段は、第２のＭＡＣアドレスの印を含む第２フレームを受信するように構成され、ここで、前記第２のＭＡＣアドレスは前記第１のＭＡＣアドレスと異なる、
前記受信するための手段は、前記第２フレームの解析が前記第１フレームの解析と異なるように、前記第２のＭＡＣアドレスに基づいて、前記受信第２フレームを解析するように構成されている、［２５］記載の装置。
［３１］  前記解析するための手段は、米国電気電子学会（IEEE）802.11規格に対する802.11a修正または802.11n修正に基づいて前記第２フレームを解析することで、前記第２のフレームを解析するように構成されている、［３０］記載の装置。
［３２］  前記第１のフレームは、制御フレームを含む、［３０］記載の装置。
［３３］  送信するための手段をさらに含み、
前記制御フレームは送信要求（RTS）フレームを含み、前記送信するために手段は、前記受信ＲＴＳフレームに応答して、送信可（CTS） フレームを他の装置に送信するように構成され、
前記第２のフレームは、前記ＣＴＳフレームに応答して前記他の装置によって送信されるデータフレームを含む、［３２］記載の装置。
［３４］  前記第１のＭＡＣアドレスは、前記第２のＭＡＣアドレスと１つのアドレスビットのみ異なる、［３０］記載の装置。
［３５］  前記１つのアドレスビットは、個別／グループ（I/G）アドレスビット、ユニバーサル／ローカル（U/L）管理アドレスビット、または、最下位アドレスビットを含む、［３４］記載の装置。
［３６］  前記受信するための手段は、前記第１のＭＡＣアドレスの前記印を含むフレームが前記装置を対象としていることを前記装置に知らせる管理フレームを受信するように構成されている、［２５］載の装置。
［３７］  装置において、媒体アクセス制御（MAC）アドレスの印を含むフレームを受信する、
前記ＭＡＣアドレスに基づいて前記受信フレームを解析する、
ことを実行可能な指示を含むコンピュータ可読媒体を含む無線通信のためのコンピュータプログラムプロダクト。
［３８］  少なくとも１つのアンテナと、
前記少なくとも１つのアンテナを介して、媒体アクセス制御（MAC）アドレスの印を含むフレームを受信するように構成された受信機と、
前記ＭＡＣアドレスに基づいて前記受信フレームを解析するように構成された処理システムと、
を備える、無線ノード。
【国際調査報告】
2013541910.tif 000018
2013541910.tif 000019
2013541910.tif 000020
2013541910.tif 000021
2013541910.tif 000022
2013541910.tif 000023